(57)【要約】【課題】動作エラーや故障が生じた場合に迅速に且つ具体的に動作エラーや故障の内容を把握できる表示装置を備えた洗濯乾燥機を提供することにある。【解決手段】動作エラーや故障が生じた時の動作エラーや故障の種類、その時の動作状態量等を記憶手段に記憶させると共に、この動作エラーや故障の種類、その時の動作状態量等を表示文字に変換し、この変換された表示文字を洗濯乾燥機の外部表面に設置したフルドット液晶表示画面に表示する。動作エラーや故障の種類、その時の動作状態量等を洗濯乾燥機の外部表面に設置したフルドット液晶表示画面に文字として表示するようにしているため、迅速に且つ具体的に動作エラーや故障の内容を把握できる【選択図】図５
2013252222.tif 000002
【特許請求の範囲】
【請求項１】
筺体内部に設けた外槽内に配置された回転ドラムと、
少なくとも外槽内に水道水を供給する給水栓及び外槽内の洗濯、すすぎ済みの水道水を排水する排水栓、前記回転ドラムを回転する駆動モータ、乾燥空気を前記回転ドラムに供給する加熱源及びファン等よりなる制御機構と、
前記制御機構を制御するための駆動信号を演算して生成する制御装置と、
前記制御装置に備えられ、動作エラーや故障が発生した時の動作エラーや故障の種類、その時の動作状態量等を記憶する記憶手段と、
外部の操作ボタン或いは内部処理による表示命令によって、少なくともこの動作エラーや故障の種類、その時の動作状態量等が前記記憶手段から読み出されて文字に変換された文字情報を表示する前記筺体の外部表面に設置されたフルドット液晶表示部と
よりなることを特徴とする洗濯乾燥機。
【請求項２】
筺体内部に設けた外槽内に配置された回転ドラムと、
少なくとも外槽内に水道水を供給する給水栓及び外槽内の洗濯、すすぎ済みの水道水を排水する排水栓、前記回転ドラムを回転する駆動モータ、乾燥空気を前記回転ドラムに供給する加熱源及びファン等よりなる制御機構と、
前記制御機構を制御するための駆動信号を演算して生成する制御装置と、
前記制御装置に備えられ、動作エラーや故障が発生した時の動作エラーや故障の種類、その時の動作状態量等を記憶する第１の記憶手段と、
前記制御装置に備えられ、前記動作エラーや故障を解除するための解除情報が記憶された第２の記憶手段と、
外部の操作ボタン或いは内部処理による表示命令によって、少なくともこの動作エラーや故障の種類とその解除情報が前記第１及び前記第２の記憶手段から読み出されて文字に変換された文字情報を表示する前記筺体の外部表面に設置されたフルドット液晶表示部と
よりなることを特徴とする洗濯乾燥機。
【請求項３】
請求項１或いは請求項２のいずれかに記載の洗濯乾燥機において、
前記フルドット液晶表示部には一つの動作エラーや故障に関する文字情報が表示されることを特徴とする洗濯乾燥機。
【請求項４】
請求項１或いは請求項２のいずれかに記載の洗濯乾燥機において、
前記記憶手段に記憶されている前記フルドット液晶表示部に表示される動作エラーや故障に関する情報は文字変換テーブルによって文字情報に変換されることを特徴とする洗濯乾燥機。
【請求項５】
請求項４に記載の洗濯乾燥機において、
前記記憶手段に記憶されている前記フルドット液晶表示部に表示される動作エラーや故障に関する文字情報は表示される情報量によって文字の大きさが調整されることを特徴とする洗濯乾燥機。
【発明の詳細な説明】
【技術分野】
【０００１】
本発明は衣類等を洗濯した後に温風等で乾燥する洗濯乾燥機に関するものであり、特に洗濯、乾燥シーケンスを実行している過程で動作エラーや故障が生じた時にこの動作エラーや故障を表示する表示装置を備えた洗濯乾燥機に関するものである。
【背景技術】
【０００２】
洗濯乾燥機による衣類の洗濯、乾燥は予め決められた洗濯、乾燥シーケンスに基づいて実行されている。つまり、この洗濯、乾燥シーケンスは衣類の量、衣類の質、洗濯時間、乾燥時間、洗濯の質等の条件によって自動的に決定されたり、手動的に選択されたりして実行されているものである。
【０００３】
このような洗濯乾燥機において、洗濯、乾燥シーケンスを実行している過程で動作エラーや故障が生じた時には、使用者は自身で動作エラーや故障が生じている原因を取り除いたり、或いは販売店や製造メーカーへ修理を依頼して対応している。
【０００４】
また、サービスマンが故障原因の把握の為に使用者から動作エラーや故障が生じた時の運転状況等の情報を得て点検、修理を行なう場合は、使用者からの聞き取り情報のみでは動作エラーや故障の原因の把握が困難な場合が多いのが実情である。
【０００５】
そして、動作エラーや故障の原因を特定する技術として、例えば特開平６−３１２０８２号公報（特許文献１）に記載されている技術は、過去の複数回の洗濯運転の内容を不揮発性メモリに記憶させ、特別なスイッチ操作によって不揮発性メモリの記憶内容を読み出して表示器にエラーコードを表示することを提案している。
【先行技術文献】
【特許文献】
【０００６】
【特許文献１】特開平６−３１２０８２号公報
【発明の概要】
【発明が解決しようとする課題】
【０００７】
特許文献1に記載の技術は表示器にセグメント表示方式でエラーコードを表示するものであるため、使用者においてはどんな動作エラーや故障が生じているのか、迅速に且つ具体的に把握することができなかった。このために取り扱い説明書等を参照してエラーコードの内容を調べて対応することが必要となり、使い勝手が良くないという課題があった。
【０００８】
また、使用者による動作エラーや故障の回復が困難な場合はサービスマンによって対応するが、上述したようなセグメント表示方式では動作エラーや故障を生じた時の動作状態量等を複数回に分けて表示するようにされているので、動作エラーや故障の解析に時間がかかり、これもサービスマンにとって使い勝手が良くないという課題があった。
【０００９】
本発明の目的は、動作エラーや故障が生じた場合に迅速に且つ具体的に動作エラーや故障の内容を把握できる表示装置を備えた洗濯乾燥機を提供することにある。
【課題を解決するための手段】
【００１０】
本発明の特徴は、動作エラーや故障が生じた時の動作エラーや故障の種類、その時の動作状態量等を記憶手段に記憶させると共に、この動作エラーや故障の種類、その時の動作状態量等を表示文字に変換し、この変換された表示文字を洗濯乾燥機の外部表面に設置したフルドット液晶表示画面に表示する、ところにある。
【発明の効果】
【００１１】
本発明によれば、動作エラーや故障の種類、その時の動作状態量等を洗濯乾燥機の外部表面に設置したフルドット液晶表示画面に文字として表示するようにしているため、迅速に且つ具体的に動作エラーや故障の内容を把握できるものである。
【図面の簡単な説明】
【００１２】
【図１】本発明の表示装置が設置された洗濯乾燥機の正面図である。
【図２ａ】図１に示した洗濯乾燥機の洗濯、乾燥シーケンスの一例を示すシーケンス説明図である。
【図２ｂ】図２aに示した洗濯、乾燥シーケンスの工程内容を示す説明図である。
【図３】図1に示す洗濯乾燥機の制御システムの制御ブロックを示す制御ブロック図である。
【図４ａ】本発明に使用されるフルドット液晶表示部の表示状態を示しており、初期操作画面を表示した図である。
【図４ｂ】本発明に使用されるフルドット液晶表示部の表示状態を示しており、記憶手段の内容確認画面を表示した図である。
【図４ｃ】本発明に使用されるフルドット液晶表示部の表示状態を示しており、動作エラーや故障表示画面を表示した図である。
【図５】本発明の一実施例になる洗濯乾燥シーケンスを実行する場合の制御内容を示す制御フローチャート図である。
【図６】本発明の一実施例になる動作エラーや故障内容を表示する場合の制御内容を示す制御フローチャート図である。
【発明を実施するための形態】
【００１３】
以下、本発明の実施形態について図を用いて詳細に説明するが、本発明は以下の実施形態に限定されることなく、本発明の技術的な概念の中で種々の変形例や応用例をもその範囲に含むものである。
【００１４】
図１は洗濯乾燥機の正面図を示しており、洗濯乾燥機１０は本体１２内に外槽に内包された回転ドラム１４を備え、この回転ドラム１４は図示しない電動機によって回転される。また、洗濯に使用する水道水はこれも図示しない給水栓から給水され、外槽内に必要な量の水道水が給水されると回転ドラム１４は駆動モータによって回転されて衣類等の洗濯物を洗濯するものである。洗濯が終了すると図示しない排水栓によって外槽内の洗濯水が排水され、その後に回転ドラム１４が回転されて脱水が行われる。
【００１５】
洗濯、すすぎ、脱水が終了すると乾燥工程が実行され、図示しないヒータやファンによって温風が回転ドラム１４内に吹き込まれ、回転ドラム１４内の衣類を乾燥する。この乾燥に際しても回転ドラム１４は回転されて衣類の乾燥むらを低減している。
【００１６】
乾燥工程が終了すると、開閉扉１６を開けて乾燥した衣類を取り出して洗濯乾燥が終了するものである。以上の洗濯、すすぎ、脱水、乾燥の各工程は既によく知られた工程であるのでこれ以上の説明は省略する。
【００１７】
洗濯乾燥機１０のトップカバー１８の正面側の中央部には操作パネル部２０が取り付けられており、この操作パネル部２０はフルドット液晶表示画面部２２と操作ボタン部２４とに分離されて構成されている。
【００１８】
この操作パネル部２０に設けた操作ボタン部２４の各操作ボタンを選択して押し下げることによって洗濯乾燥機１０の各シーケンスが実行されるものである。
【００１９】
洗濯乾燥機１０の各シーケンスは図２aにある通り、種々のコースが準備されており、これらのコースを各操作ボタンで選択することができる。これらのコースは現在市販されている洗濯乾燥機に設定されているコースと同様のもの、或いは類似のものである。
【００２０】
また、各コースで選ばれたシーケンスは図２ｂに示すような洗濯、すすぎ、脱水、乾燥の各工程を繰り返すように構成されている。これも同様に現在市販されている洗濯乾燥機に設定されているコースと同様のもの、或いは類似のものである。
【００２１】
洗濯乾燥機１０には制御装置が内蔵されており、この制御装置は上述した洗濯乾燥機１０の各シーケンスを実行する機能を備えている。
【００２２】
図３は制御装置２６の構成を示しており、この制御装置２６はワンチップ方式のマイクロコンピュータ２８を主体に構成されている。マイクロコンピュータ２８は演算ブロック３０を備え、この演算ブロック３０は機能的に役割が分担されており、制御部３２に記憶されたプログラムによって演算部３４が入力された情報等に基づいて所定の演算を行ない、この演算結果を出力するものである。
【００２３】
また、制御部３２とは別に設けられた不揮発性記憶装置（例えば、フラッシュＲＯＭ）３６は種々のデータが記憶されているものであり、後述する動作エラーや故障の場合の動作状態量が記憶される記憶エリアも割り当てられている。これらの各機能部はバスラインによって相互に接続されており、必要な命令情報や状態情報が伝送されるようになっている。
【００２４】
また，不揮発性記憶装置３６には各制御機構の動作状態量が選択されたシーケンスを実行している中で、定期的及び動作エラーや故障が発生した時点の両方で記憶されている。
【００２５】
また、マイクロコンピュータ２８にはタイマー３８も設けられており、このタイマー３８は入出力演算のための時間計測や、制御プログラムに割り込みをかけるための時間割り込みタイミングに使用される。
【００２６】
更に、入力ポート４０と出力ポート４２も設けられている。入力ポート４０には洗濯乾燥機１０の動作状態量を表す信号が入力されている。代表的には、入力回路部４４に電源スイッチ４６やキー入力４８等のディスクリート信号、水位センサ５０、振動センサ５２、温度センサ５４、加速度センサ５６等のアナログ信号が入力されている。アナログ信号は入力回路部４４に設けられたＡ/Ｄ変換器によってマイクロコンピュータ２８で処理できる電圧レベルに規格化されるものである。
【００２７】
出力ポート４２には演算部ブロック３０によって演算された各制御機構の制御量が出力される。この出力ポート４２の出力は出力駆動回路部５８に送られ、各制御機構の駆動に適した出力量に変換されて各制御機構に送られるものである。制御機構としては、循環ポンプ６０、風呂水ポンプ６２、メイン給水弁６４、ソフナ給水弁６６、水冷除湿弁６８、スプレー弁７０、駆動モータ７２、操作パネル部７４、ブザー７６等が備えられている。
【００２８】
そして、洗濯乾燥機１０の電源スイッチが入ると、洗濯乾燥機１０に設けられた整流回路によって家庭用コンセントからの電流が変圧、整流されて制御装置２６に通電されて制御可能状態となる。
【００２９】
制御装置２６には、キー入力４８、水位センサ５０、振動センサ５２、温度センサ５４、加速度センサ５６等からの入力信号が与えられ、予め定められたシーケンスプログラムに従い、メイン給水弁６４、ソフナ給水弁６６、水冷除湿弁６８、スプレー弁７０、駆動モータ７２、表示手段７４等の制御機構を制御する。
【００３０】
出力駆動回路部５８はマイクロコンピュー２８からの指示に従って各制御機構の駆動制御を行い、洗い、すすぎ、脱水、乾燥の各工程を実行する。洗濯が終了すると、マイクロコンピュータ２８からの信号で制御機構への駆動信号を停止して電力供給を遮断する。
【００３１】
以上のような洗濯乾燥機１０において本発明に関する動作は次の通りであるが、先ず操作パネル部２０の構成を図４a乃至図４ｃに基づいて説明する。
【００３２】
図４aは操作パネル部２０に設けたフルドット液晶表示部２２の表示状態を示しており、コース設定が終了した後の画面を表示している。
【００３３】
操作パネル部２０はその中央付近にフルドット液晶表示部２２と操作ボタン部２４が設けられている。操作ボタン部２４を構成する各操作ボタンはフルドット液晶表示部２２の下側と両側に配置されている。
【００３４】
例えば、図面左側には洗濯、洗乾（洗濯と乾燥）、乾燥のコース設定ボタン７８が設けられ、下側には予約、洗い、すすぎ、脱水、乾燥等の個別のモードの操作ボタン８０が設けられている。また、洗濯乾燥機１０の起動、再起動、停止を行なうスタート/一時停止ボタン８２や音声案内を起動する音声ボタン８４等も設けられている。これらの操作ボタンは例示的に示したものであり、これ以外に種々の操作ボタンの追加や変更があっても何ら差し支えないものである。
【００３５】
フルドット液晶表示部２２はセグメント表示方式ではなく、記号や漢字、ひらがな等の文字が表示されるものであって、制御装置２８に設けられた不揮発性記憶装置３６に記憶された文字変換テーブルから読み出されて表示されるものである。尚、文字変換テーブルは制御部３２に設けられている記憶装置に記憶されていても良いものである。
【００３６】
図４aの表示状態は洗濯コースを選択して１５分の洗濯を２回行って３０分の洗濯を行なうことを文字によって表示している。
【００３７】
次に、図４ｂは不揮発性記憶装置３６等の記憶手段に記憶されている内容の確認画面を表示したものである。この表示状態は選択されたコースがコードＣ０８で定義されたコースであることを示している。
【００３８】
具体的には（１）標準の洗濯コースが設定されていること、（２）現在のコース進行状態が初期状態（設定された直後）であること、（３）各制御機構の動作時間が０分であること、（４）各制御機構の負荷状態がＯＮであるかＯＦＦであるか等の情報を文字情報によって表示している。尚、表示情報はこれ他に限らず種々のものが設定可能である。
【００３９】
このような表示を行なうようにできれば、例えば洗濯コースを設定した後にスタートボタンを押さずに別の用事を片づけた後に、再びスタートボタンを押す前にどんな設定コースをしたか、記号や漢字、ひらがな等の文字情報で迅速に且つ具体的に確認することができるようになって使い勝手が良いものである。
【００４０】
本実施例では後述するように洗濯乾燥機１０を稼働させている状態で動作エラーや故障が発生した時に、これらの動作エラーや故障の種類やその時の時間、制御機構の動作状態量を時系列に順番に不揮発性記憶装置３６の記憶エリアに記憶していく構成とされている。
【００４１】
そして、図４ｃは動作エラーや故障が発生した時の動作エラーや故障の内容情報を画面に表示したものである。この表示状態は動作エラーや故障は発生した時の表示内容を例示的に示したものである。
【００４２】
具体的には（１）お知らせコードとして動作エラーの一つであるＣ０８で規定される「ドアロック異常」の表示や、（２）この「ドアロック異常」に関する対応策（解除ボタン）を行なうボタンである「スタート／一時停止ボタン」８２の表示や、（３）「ドアロック異常」に関する解除方法、例えば、「ドアを閉めて下さい。スタート/一時停止ボタンを押すと運転再開します。」といった具体的な解除方法を文字情報によって表示している。この表示は上述したように文字変換テーブルを利用して文字情報として表示されるが、基本的には一つの動作エラーや故障に関する詳細情報、及び動作エラーをフルドット液晶表示部２２の画面に一括して表示するように構成されている。
【００４３】
このように、本実施例によればフルドット液晶表示部２２に記号や漢字、ひらがな等の文字が表示される構成とし、洗濯や乾燥のシーケンスの設定情報や、動作エラーや故障が発生した時の内容情報を記憶手段に記憶しておき、操作ボタン或いは内部処理からの表示命令でこの記憶手段に記憶された洗濯や乾燥のシーケンスの設定情報、動作エラーや故障が発生した時の内容情報から必要な情報を読み出し、この読み出された情報に基づいてフルドット液晶表示部２２に表示する文字を文字変換テーブルから読み出してフルドット液晶表示部２２に転送して表示されるものである。
【００４４】
次に、洗濯乾燥機１０の運転開始から運転終了までのシーケンスにおいて本実施例に関係するフローチャートを図５、図６に基づき説明する。一例として、洗濯コースを選択してその工程動作中に動作エラーを発生し、動作エラーの原因を特定した情報をフルドット液晶表示部２２に文字情報として表示する場合を説明する。
【００４５】
図５において、ステップ５０（以下、“ステップ”を“Ｓと”省略して表記する）で電源スイッチを押し下げて電源を「入」にしたどうかを判断し、電源が入ったと判断されるとＳ５１に進み、そうでないとＳ５０に戻って電源の状態を監視する。この時フルドット液晶表示部２２は何も表示されていない。
【００４６】
電源が入ったと判断されるとＳ５１に進んで、使用者が洗濯コースボタンにより洗濯コースの設定を行い、その後に洗い時間を洗いボタンで設定すると、その時間がフルドット液晶表示部２２に表示される。この時のフルドット液晶表示部２２の表示状態は図４ａに示す状態である。同様にして、すすぎ回数をすすぎボタンで設定し、脱水時間を脱水ボタンで設定する。この場合も、それぞれの設定時間は図４ａにあるように表示される。この洗濯コースの設定が完了されると使用者はスタート/一時停止ボタン８２を押し下げる。
【００４７】
次に、Ｓ５２でスタート/一時停止ボタン８２の状態を監視しておき、スタート/一時停止ボタン８２が入ったと判断されるとＳ５５３に進み、そうでないとＳ５２に戻ってスタート/一時停止ボタン８２の状態を監視する。スタート/一時停止ボタン８２が押されていない状態で選択されたコースの確認を行なう場合は、コース確認ボタン（図示せず）を押し下げると図４ｂに示されたような表示がフルドット表示部２２に文字表示される。
【００４８】
スタート/一時停止ボタン８２が入ると、Ｓ５３に進んで開閉ドア１６をロックした後に、Ｓ５４に進んで洗剤量センシングや衣類の容量測定等を行なって設定された洗濯コースを実行する。
【００４９】
洗濯乾燥機１０の洗濯コース実行中には制御装置２６に設けられた動作エラーや故障の検出プログラムが所定時間毎に実行されており、洗濯乾燥機１０の動作エラーや故障状態を監視している。この検出プログラムの実行によって動作エラーや故障が検出されると動作エラーフラグや故障フラグが活性化（０から１にフラグが変更）される。
【００５０】
制御装置２６はこの動作エラーフラグや故障フラグを所定時間毎に監視しており、Ｓ５５でこのフラグに変更があったと判断するとＳ５６に進み、そうでないとＳ５５に戻って動作エラーフラグや故障フラグを監視する。本実施例では、例えば開閉ドア１６の「ドアロック異常」が発生したと想定して説明する。
【００５１】
Ｓ５５で「ドアロック異常」の動作エラーが検出されると、Ｓ５６に進んで不揮発性記憶装置３６の記憶エリアに「ドアロック異常」の発生時間、「ドアロック異常」の種類、この時の各制御機構の動作状態量等を書き込む。この記憶エリアは時系列な順番で動作エラーや故障の詳細情報を記憶していくようになっている。
【００５２】
Ｓ５６で「ドアロック異常」に関する詳細情報が記憶されると、Ｓ５７に進んで各制御機構の動作を停止して洗濯乾燥機１０の洗濯コースの実行を停止する。
【００５３】
制御機構の動作を停止する場合は、例えば出力駆動回路５８の出力段の前に設けたインヒビット回路の状態を動作状態とは逆の状態に制御することで実行できる。
【００５４】
次に、Ｓ５８に進んで制御装置２６は各制御機構の動作を停止してブザー７６を吹鳴して使用者に異常発生を報知すると共に、動作エラーや故障の検出に応じて発生する内部処理による表示命令によってフルドット液晶表示部２２に「ドアロック異常」が発生したことを表示する。
【００５５】
この場合、「ドアロック異常」のフラグが活性化されると、これに関連付けられた「ドアロック異常」に対応する操作ボタンの名称や、「ドアロック異常」を復帰させるために必要な対応動作や操作ボタンの操作方法等の情報を読み出し、文字変換テーブルを利用して文字情報に変換する。
【００５６】
これらの対応方法は動作エラーや故障の種類毎に準備されており、これらは不揮発性記憶装置３６に記憶されている。この表示は上述したように文字変換テーブルを利用して文字情報として表示されるが、基本的には一つの動作エラーや故障に関する詳細情報をフルドット液晶表示部２２の画面に表示するように構成されている。
【００５７】
この表示状態は図４ｃにあるように、（１）お知らせコードとして動作エラーの一つであるＣ０８で規定される「ドアロック異常」の表示、（２）この「ドアロック異常」に関する対応ボタン（解除ボタン）である「スタート／一時停止ボタン」８２の表示、（３）「ドアロック異常」に関する解除方法、例えば、「ドアを閉めて下さい。スタート/一時停止ボタンを押すと運転再開します。」といった具体的な解除方法を文字情報によって表示している。
【００５８】
次に、Ｓ５９に進んでエラー解除ボタン、ここではスタート／一時停止ボタン８２が押されたどうかを判断し、スタート／一時停止ボタン８２が押されればＳ６０に進み、そうでなければＳ５９に戻ってエラー解除ボタンが押されたどうかを監視する。
【００５９】
フルドット液晶表示部２２の指示にしたがって開閉ドア１６を正規の状態に戻してスタート／一時停止ボタン８２を押すと、開閉ドア１６を正規の状態に戻してあるので「ドアロック異常」が解消されている状態となって、Ｓ６０において、制御装置２６は停止されていた各制御機構を動作できるように出力駆動回路５８等をリセットする。例えば、出力駆動回路５８の出力段の前に設けられたインヒビット回路の停止状態を動作状態にリセットするものである。
【００６０】
このインヒビット回路は制御装置２６のマイクロコンピュータ２８によって制御され、異常発生時に出力駆動回路５８から不用意に駆動信号が出力されるのを防止する論理素子からなっている。
【００６１】
Ｓ６０で各制御機構が駆動可能な状態になると、Ｓ６１に進んで制御装置２６は各制御機構を駆動して洗濯コースの動作を再開し、所定の工程を終了すると運転終了となるものである。
【００６２】
以上が通常の家庭内で行なわれる洗濯乾燥機１０の使用状態であり、洗濯や乾燥のシーケンスの動作中に動作エラーや故障が生じた場合に、動作エラーや故障の種類、その時の動作状態量、動作エラーや故障の解消方法等を洗濯乾燥機の外部表面に設置したフルドット液晶表示画面に文字として表示するようにしているため、迅速に且つ具体的に動作エラーや故障の内容や解消方法を把握できるものである。
【００６３】
次に図６において、サービスマンが動作エラーや故障の原因解明を行なう場合を説明する。使用者による動作エラーや故障の回復が困難な場合はサービスマンによって対応するが、セグメント表示方式では動作エラーや故障を生じた時の動作状態量等を複数回に分けて表示するようにされているので、動作エラーや故障の解析に時間がかかり、サービスマンにとって使い勝手が良くないという不具合があった。
【００６４】
図６にあるように、Ｓ６２でサービスマンによって動作エラーや故障の解析のための特殊ボタン１が押し下げられたかどうかを判断し、押し下げられた場合はＳ６３に進み、そうでない場合はＳ６２に戻って特殊ボタン１の押し下げを監視する。この特殊ボタン１は洗濯乾燥機１０の外観から見えない場所に設けられた専用のボタンであっても良いし、フルドット液晶表示部２２の操作ボタン部２４の複数（２個以上）のボタンを同時押し下げによって得られる信号の組み合わせであっても良い。以下に述べる特殊ボタン２も同様である。
【００６５】
Ｓ６２で特殊ボタン１が押されると、Ｓ６３に進んで不揮発性記憶装置３６の所定の記憶エリアに記憶された最新の動作エラーや故障の詳細情報を読み出して、フルドット液晶表示部２２に表示する。
【００６６】
この表示は上述したように文字変換テーブルを利用して文字情報として表示されるが、基本的には一つの動作エラーや故障に関する詳細情報をフルドット液晶表示部２２の画面に一括して表示するように構成されている。
【００６７】
したがって、詳細情報の表示すべき情報量に応じて文字情報のフォントの大きさが選択されて、或いは文字情報を縮尺、拡大して表示される。フォントの大きさはビットマップ方式であれば必要な枚数だけ準備しておけば良く、また文字情報を縮尺、拡大する場合は文字情報にベクトル情報を与えておけば良いものである。
【００６８】
また、サービスマンにとっては使用者とは異なった詳細情報が必要であり、この点でもフォントの大きさを変えて一つの画面に表示することは動作エラー故障の原因解析の時間を短くできるものである。
【００６９】
次に、Ｓ６４でサービスマンによって動作エラーや故障の解析のための特殊ボタン２が押し下げられたかどうかを判断し、押し下げられた場合はＳ６５に進み、そうでない場合はＳ６４に戻って特殊ボタン２の押し下げを監視する。
【００７０】
Ｓ６４で特殊ボタン２が押されると、Ｓ６５に進んで不揮発性記憶装置３６の所定の記憶エリアに記憶された最新の動作エラーや故障の詳細情報より一つ前の動作エラーや故障の詳細情報前を読み出して、フルドット液晶表示部２２に表示される。この場合も表示内容はＳ６１と同様の形態で表示される。
【００７１】
尚、特殊ボタン２が押される毎に動作エラーや故障の詳細情報は過去に遡って不揮発性記憶装置３６から読み出されて、フルドット液晶表示部２２に表示される。
【００７２】
このように、サービスマンが動作エラーや故障の原因解明を行なう場合では、一つの動作エラーや故障を生じた時の動作状態量等の詳細情報をフルドット液晶表示部２２に表示するようにされているので、動作エラーや故障の解析の時間が短くなり、サービスマンにとって使い勝手が良くなるものである。
【００７３】
尚、動作エラーや故障を生じた時の動作状態量等の詳細情報が多すぎて、フルドット液晶表示部２２では表示しきれない、或いはフォントが小さすぎて判読しづらい場合はパーソナルコンピュータと接続して分かりやすく表示できるようにしても良く、サービスマンの解析を容易にできる効果がある。
【００７４】
パーソナルコンピュータと洗濯乾燥機１０の制御装置２６を接続する場合は、操作パネル部２０の背面側に設けられたＵＳＢコネクタとＵＳＢケーブルを利用して相互に接続してデータ交換を行なうことができる。
【００７５】
また、パーソナルコンピュータと接続すれば、動作エラーや故障を生じた時の動作状態量等の詳細情報を動作エラーや故障の解析の専門部署へ転送することもできるので解析速度を更に上げることが期待できる。
以上述べた通り、本発明によれば、動作エラーや故障の種類、その時の動作状態量等を洗濯乾燥機の外部表面に設置したフルドット液晶表示画面に文字として表示するようにしているため、迅速に且つ具体的に動作エラーや故障の内容を把握できるようになる。
【符号の説明】
【００７６】
１０…洗濯乾燥機、１２…筺体、１４…回転ドラム、１６…開閉扉、１８…トップカバー、２０…操作パネル部、２２…ルドット液晶表示部、２４…操作ボタン部、２６…制御装置、２８…マイクロコンピュータ、３０…演算ブロック、３２…制御部、３４…演算部、３６…不揮発性記憶装置、３８…タイマー、４０…入力ポート、４２…出力ポート、４４…入力回路部、５８…出力回路部、７８…コース設定ボタン、８０…操作ボタン、８２…スタート/一時停止ボタン。
【図１】
2013252222.tif 000003
【図２ａ】
2013252222.tif 000004
【図２ｂ】
2013252222.tif 000005
【図３】
2013252222.tif 000006
【図４ａ】
2013252222.tif 000007
【図４ｂ】
2013252222.tif 000008
【図４ｃ】
2013252222.tif 000009
【図５】
2013252222.tif 000010
【図６】
2013252222.tif 000011